【事件の表示】
　特許第２９７４４８９号「撮像システム，電子カメラおよび電子カメラを制御するコンピュータ・システム，ならびにそれらの制御方法」の請求項１ないし１０に係る特許に対する特許異議の申立てについて、次のとおり決定する。
【結　論】
　訂正を認める。
　特許第２９７４４８９号の請求項１ないし１０に係る特許を維持する。
【理　由】
１．手続の経緯
　
　特許第２９７４４８９号の請求項１ないし１０に係る発明は、平成４年２月４日に特許出願され、平成１１年９月３日に設定登録がなされ、その後、溝呂木寛より特許異議の申立がなされ、取消しの理由が通知され、その指定期間内である平成１２年１１月２０日に訂正請求がなされたものである。
　
２．訂正の適否について
　
（１）訂正の内容
　ア．訂正事項ａ
　特許請求の範囲の請求項１の「撮像処理のための現在の制御量を検出する制御量検出手段、」を「上記電子カメラにおける撮像処理のための制御パラメータの現在の制御量を検出する制御量検出手段、」と訂正する。
　イ．訂正事項ｂ
　特許請求の範囲の請求項１の「上記手動制御指令を発行したときに、それに応答して上記電子カメラから伝送される現在の制御量を表示する制御量表示手段、」を「上記手動制御指令を発行したときに、それに応答して上記電子カメラから伝送される、上記電子カメラの制御パラメータの現在の制御量を表示する制御量表示手段、」と訂正する。
　ウ．訂正事項ｃ
　特許請求の範囲の請求項５の「撮像処理のための現在の制御量を検出する制御量検出手段、」を「電子カメラにおける撮像処理のための制御パラメータの現在の制御量を検出する制御量検出手段、」と訂正する。
　エ．訂正事項ｄ
　特許請求の範囲の請求項５の「上記コンピュータ・システムから自動制御指令が与えられたときに上記自動制御手段を起動し、手動制御指令が与えられたときに上記制御量検出手段によって検出された現在の制御量を上記コンピュータ・システムに送信しかつその後上記コンピュータ・システムから伝送された目標値を上記フィードバック制御手段に与える目標値伝送制御手段、」を「上記コンピュータ・システムから自動制御指令が与えられたときに上記自動制御手段を起動し、手動制御指令が与えられたときに上記制御量検出手段によって検出された、電子カメラの制御パラメータの現在の制御量を上記コンピュータ・システムに送信しかつその後上記コンピュータ・システムから伝送された目標値を上記フィードバック制御手段に与える目標値伝送制御手段、」と訂正する。
　オ．訂正事項ｅ
　特許請求の範囲の請求項６の「上記手動制御指令を発行したときに、それに応答して上記電子カメラから伝送される現在の制御量を受信し、その現在の制御量を表示する制御量表示手段、」を「上記手動制御指令を発行したときに、それに応答して上記電子カメラから伝送される、上記電子カメラの制御パラメータの現在の制御量を受信し、その現在の制御量を表示する制御量表示手段、」と訂正する。
　カ．訂正事項ｆ
　特許請求の範囲の請求項７の「上記コンピュータ・システムから自動制御指令が与えられたときに、被写体から得られる情報またはすでに設定されている情報に基づいて目標値を決定し、撮像処理のための現在の制御量を検出し、検出した制御量が決定した目標値と一致するようにフィードバック制御し、」を「上記コンピュータ・システムから自動制御指令が与えられたときに、被写体から得られる情報またはすでに設定されている情報に基づいて目標値を決定し、電子カメラにおける撮像処理のための制御パラメータの現在の制御量を検出し、検出した制御量が決定した目標値と一致するようにフィードバック制御し、」と訂正する。
　キ．訂正事項ｇ
　特許請求の範囲の請求項９の「上記コンピュータ・システムから自動制御指令が与えられたときに、被写体から得られる情報または設定された情報に基づいて目標値を決定し、撮像処理のための現在の制御量を検出し、検出した制御量が決定した目標値と一致するようにフィードバック制御し、」を「上記コンピュータ・システムから自動制御指令が与えられたときに、被写体から得られる情報または設定された情報に基づいて目標値を決定し、電子カメラにおける撮像処理のための制御パラメータの現在の制御量を検出し、検出した制御量が決定した目標値と一致するようにフィードバック制御し、」と訂正する。
　ク．訂正事項ｈ
　特許請求の範囲の請求項９の「上記コンピュータ・システムから手動制御指令が与えられたときに、検出した現在の制御量を上記コンピュータ・システムに送信しかつその後上記コンピュータ・システムから送信された目標値に基づいて上記制御量のフィードバック制御を行なうように制御する、」を「上記コンピュータ・システムから手動制御指令が与えられたときに、検出した電子カメラの制御パラメータの現在の制御量を上記コンピュータ・システムに送信しかつその後上記コンピュータ・システムから送信された目標値に基づいて上記制御量のフィードバック制御を行なうように制御する、」と訂正する。
　ケ．訂正事項ｉ
　特許請求の範囲の請求項１０の「上記手動制御指令に応答して上記電子カメラから伝送される現在の制御量を受信し、その制御量を表示し、」を「上記手動制御指令に応答して上記電子カメラから伝送される、上記電子カメラの制御パラメータの現在の制御量を受信し、その制御量を表示し、」と訂正する。
　コ．訂正事項ｊ
　訂正前の明細書の段落番号【００１３】(特許掲載公報第６欄第２８行から第２９行)の「撮像処理のための現在の制御量を検出する制御量検出手段、」を「上記電子カメラにおける撮像処理のための制御パラメータの現在の制御量を検出する制御量検出手段、」と訂正する。
　サ．訂正事項ｋ
　訂正前の明細書の段落番号【００１４】(特許掲載公報第６欄第４７行から第５０行)の「上記手動制御指令を発行したときに、それに応答して上記電子カメラから伝送される現在の制御量を表示する制御量表示手段、」を「上記手動制御指令を発行したときに、それに応答して上記電子カメラから伝送される、上記電子カメラの制御パラメータの現在の制御量を表示する制御量表示手段、」と訂正する。
　
（２）訂正の目的の適否、新規事項の有無及び拡張・変更の存否
　
　上記訂正事項ａは、特許請求の範囲の請求項１において、制御量検出手段を「上記電子カメラにおける撮像処理のための制御パラメータの現在の制御量を検出する制御量検出手段」と下位概念のものに限定したものであり、当該事項は、訂正前の特許明細書の第１０頁第１９行から第１１頁第１行(特許掲載公報第７欄第２８行から第４４行、段落番号【００１９】に記載されているから、特許請求の範囲の減縮を目的とした明細書の訂正に該当し、新規事項の追加に該当せず、実質上特許請求の範囲を拡張又は変更するものでない。
　上記訂正事項ｂは、特許請求の範囲の請求項１において、制御量表示手段を「上記電子カメラの制御パラメータの現在の制御量を表示する制御量表示手段」と下位概念のものに限定したものであり、当該事項は、訂正前の特許明細書の第１０頁第１９行から第１１頁第１行(特許掲載公報第７欄第２８行から第４４行、段落番号【００１９】に記載されているから、特許請求の範囲の減縮を目的とした明細書の訂正に該当し、新規事項の追加に該当せず、実質上特許請求の範囲を拡張又は変更するものでない。
　上記訂正事項ｃは、特許請求の範囲の請求項５において、制御量検出手段を「電子カメラにおける撮像処理のための制御パラメータの現在の制御量を検出する制御量検出手段」と下位概念のものに限定したものであり、当該事項は、訂正前の特許明細書の第１０頁第１９行から第１１頁第１行(特許掲載公報第７欄第２８行から第４４行、段落番号【００１９】に記載されているから、特許請求の範囲の減縮を目的とした明細書の訂正に該当し、新規事項の追加に該当せず、実質上特許請求の範囲を拡張又は変更するものでない。
　上記訂正事項ｄは、特許請求の範囲の請求項５において、目標値伝送制御手段を「電子カメラの制御パラメータの現在の制御量を上記コンピュータ・システムに送信し・・・目標値伝送制御手段」と下位概念のものに限定したものであり、当該事項は、訂正前の特許明細書の第１０頁第１９行から第１１頁第１行(特許掲載公報第７欄第２８行から第４４行、段落番号【００１９】に記載されているから、特許請求の範囲の減縮を目的とした明細書の訂正に該当し、新規事項の追加に該当せず、実質上特許請求の範囲を拡張又は変更するものでない。
　上記訂正事項ｅは、特許請求の範囲の請求項６において、制御量表示手段を「上記電子カメラの制御パラメータの現在の制御量を受信し、その現在の制御量を表示する制御量表示手段」と下位概念のものに限定したものであり、当該事項は、訂正前の特許明細書の第１０頁第１９行から第１１頁第１行(特許掲載公報第７欄第２８行から第４４行、段落番号【００１９】に記載されているから、特許請求の範囲の減縮を目的とした明細書の訂正に該当し、新規事項の追加に該当せず、実質上特許請求の範囲を拡張又は変更するものでない。
　上記訂正事項ｆは、特許請求の範囲の請求項７において、制御量の検出を「電子カメラにおける撮像処理のための制御パラメータの現在の制御量を検出し、」と下位概念のものに限定したものであり、当該事項は、訂正前の特許明細書の第１０頁第１９行から第１１頁第１行(特許掲載公報第７欄第２８行から第４４行、段落番号【００１９】に記載されているから、特許請求の範囲の減縮を目的とした明細書の訂正に該当し、新規事項の追加に該当せず、実質上特許請求の範囲を拡張又は変更するものでない。
　上記訂正事項ｇは、特許請求の範囲の請求項９において、制御量の検出を「電子カメラにおける撮像処理のための制御パラメータの現在の制御量を検出し、」と下位概念のものに限定したものであり、当該事項は、訂正前の特許明細書の第１０頁第１９行から第１１頁第１行(特許掲載公報第７欄第２８行から第４４行、段落番号【００１９】に記載されているから、特許請求の範囲の減縮を目的とした明細書の訂正に該当し、新規事項の追加に該当せず、実質上特許請求の範囲を拡張又は変更するものでない。
　上記訂正事項ｈは、特許請求の範囲の請求項９において、制御量のコンピュータ・システムへの送信を「電子カメラの制御パラメータの現在の制御量を上記コンピュータ・システムに送信し」と下位概念のものに限定したものであり、当該事項は、訂正前の特許明細書の第１０頁第１９行から第１１頁第１行(特許掲載公報第７欄第２８行から第４４行、段落番号【００１９】に記載されているから、特許請求の範囲の減縮を目的とした明細書の訂正に該当し、新規事項の追加に該当せず、実質上特許請求の範囲を拡張又は変更するものでない。
　上記訂正事項ｉは、特許請求の範囲の請求項１０において、制御量の表示を「上記電子カメラの制御パラメータの現在の制御量を受信し、その制御量を表示し、」と下位概念のものに限定したものであり、当該事項は、訂正前の特許明細書の第１０頁第１９行から第１１頁第１行(特許掲載公報第７欄第２８行から第４４行、段落番号【００１９】に記載されているから、特許請求の範囲の減縮を目的とした明細書の訂正に該当し、新規事項の追加に該当せず、実質上特許請求の範囲を拡張又は変更するものでない。
　上記訂正事項ｊについては、「上記電子カメラの電子的撮像処理手段は、上記電子カメラにおける撮像処理のための制御パラメータの現在の制御量を検出する制御量検出手段、」を備えていることを明確にしたものであり、当該事項は、訂正前の特許明細書の第１０頁第１９行から第１１頁第１行(特許掲載公報第７欄第２８行から第４４行、段落番号【００１９】に記載されているから、明りょうでない記載の釈明を目的とした明細書の訂正に該当し、新規事項の追加に該当せず、実質上特許請求の範囲を拡張又は変更するものでない。
　上記訂正事項ｋは、コンピュータ・システムは、「上記手動制御指令を発行したときに、それに応答して上記電子カメラから伝送される上記電子カメラの制御パラメータの現在の制御量を表示する制御量表示手段、」を備えていることを明確にしたものであり、当該事項は、訂正前の特許明細書の第１０頁第１９行から第１１頁第１行(特許掲載公報第７欄第２８行から第４４行、段落番号【００１９】に記載されているから、明りょうでない記載の釈明を目的とした明細書の訂正に該当し、新規事項の追加に該当せず、実質上特許請求の範囲を拡張又は変更するものでない。
　
（３）むすび
　したがって、上記訂正は、特許法第１２０条の４第２項及び同条第３項で準用する第１２６条第２項及び第３項の規定に適合するので、当該訂正を認める。
　
３．特許異議の申立について
　
（１）申立ての理由の概要
　申立人溝呂木寛は、請求項６および１０に係る発明は、甲第１号証（特開昭６２−０３２５７３号公報）記載の発明と同一であり、特許法第２９条第１項第３号の規定により特許を受けることができないものであるから、及び請求項１ないし１０に係る発明は、甲第１号証、甲第２号証（特開昭６１−１０８２６６号公報）、甲第３号証（特開平０２−２２４４７７号公報）記載の発明に基づき当業者が容易に想到し得たものであり、特許法第２９条第２項の規定により特許を受けることができないものであるから、特許を取り消すべきである旨主張している。
　
（２）本件発明の認定
　上記２．で示したように上記訂正が認められるから、本件の請求項１ないし１０に係る発明（以下、「本件発明１ないし１０」という。）は、上記訂正請求に係る訂正明細書の特許請求の範囲の請求項１ないし１０に記載された事項に特定された次のとおりのものである。
「【請求項１】被写体を撮影し，撮影した被写体像を表わす画像データを生成する電子的撮像処理手段を備えた電子カメラ，および上記電子カメラと交信可能なコンピュータ・システムから構成され，
　上記電子カメラの電子的撮像処理手段が，
　上記電子カメラにおける撮像処理のための制御パラメータの現在の制御量を検出する制御量検出手段，
　上記制御量検出手段によって検出した制御量が所与の目標値と一致するようにフィードバック制御するフィードバック制御手段，
　自動制御モードにおいて，被写体から得られる情報またはすでに設定されている情報に基づいて目標値を決定し，この決定した目標値を上記フィードバック制御手段に与える自動制御手段，および
　上記コンピュータ・システムから自動制御指令が与えられたときに上記自動制御手段を起動し，手動制御指令が与えられたときに上記制御量検出手段によって検出された現在の制御量を上記コンピュータ・システムに送信しかつその後上記コンピュータ・システムから送信された目標値を上記フィードバック制御手段に与える制御手段を備え，
　上記コンピュータ・システムが，
　自動制御モードおよび手動制御モードのいずれか一方を設定するモード設定手段，
　上記モード設定手段により自動制御モードが設定されたときに上記自動制御指令を，手動制御モードが設定されたときに上記手動制御指令をそれぞれ発行して上記電子カメラに伝送する制御量伝送手段，
　上記手動制御指令を発行したときに，それに応答して上記電子カメラから伝送される，上記電子カメラの制御パラメータの現在の制御量を表示する制御量表示手段，手動制御モードにおいて目標値を設定する手段，ならびに
　設定された目標値を上記電子カメラに伝送する目標値伝送制御手段を備えている，
　撮像システム。
【請求項２】上記フィードバック制御手段によって制御される項目が，露光量，ホワイト．バランス，ブラック・バランス，フォーカシングおよびズーム量のうちの少なくとも一項目である，請求項１に記載の撮像システム。
【請求項３】上記電子カメラと上記コンピュータ・システムとが別体に形成され，かつ通信線で接続されている，請求項１に記載の撮像システム。
【請求項４】上記電子ヵメラと上記コンピュータ・システムとが一体に形成されている，請求項１に記載の撮像システム。
【請求項５】コンピュータ・システムと接続可能かつ交信可能であり，
　電子カメラにおける撮像処理のための制御パラメータの現在の制御量を検出する制御量検出手段，
　上記制御量検出手段によって検出した制御量が所与の目標値と一致するようにフィードバック制御するフィードバック制御手段，
　自動制御モードにおいて，被写体から得られる情報または設定された情報に基づいて目標値を決定し，この決定した目標値を上記フィードバック制御手段に与える自動制御手段，および
　上記コンピュータ・システムから自動制御指令が与えられたときに上記自動制御手段を起動し，手動制御指令が与えられたときに上記制御量検出手段によって検出された，電子カメラの制御パラメータの現在の制御量を上記コンピュータ・システムに送信しかつその後上記コンピュータ・システムから伝送された目標値を上記フィードバック制御手段に与える目標値伝送制御手段，
　を備えた電子カメラ。
【請求項６】電子カメラと接続可能かつ交信可能であり，
　自動制御モードおよび手動制御モードのいずれか一方を設定する手段，
　自動制御モードが設定されたときに自動制御指令を発行して上記電子カメラに伝送する自動制御指令伝送手段，
　手動制御モードが設定されたときに手動制御指令を発行して上記電子カメラに伝送する手動制御指令伝送手段，
　上記手動制御指令を発行したときに，それに応答して上記電子カメラから伝送される.上記電子カメラの制御パラメータの現在の制御量を受信し，その現在の制御量を表示する制御量表示手段，
　手動制御モードにおいて目標値を設定する手段，ならびに
　設定された目標値を上記電子カメラに伝送する目標値伝送手段，
　を備えたコンピュータ・システム。
【請求項７】被写体を撮影し，撮影した被写体像を表わす画像データを生成する電子カメラおよび上記電子カメラと交信可能なコンピュータ・システムから構成される撮像システムの制御方法であり，
　上記電子カメラが，
　上記コンピュータ・システムから自動制御指令が与えられたときに，被写体から得られる情報またはすでに設定されている情報に基づいて目標値を決定し，電子カメラにおける撮像処理のための制御パラメータの現在の制御量を検出し，検出した制御量が決定した目標値と一致するようにフィードバック制御し，
　上記コンピュータ・システムから手動制御指令が与えられたときに，検出した現の制御量を上記コンピュータ・システムに送信しかつその後上記コンピュータ・システムから送信される目標値に基づいて上記制御量のフィードバック制御をテなうように制御し，
　上記コンピュータ・システムが，
　自動制御モードが設定されたときに上記自動制御指令を，手動制御モードが設定されたときに上記手動制御指令をそれぞれ発行して上記電子カメラに伝送し，上記手動制御指令を発行したときに，それに応答して上記電子カメラから伝送さる現在の制御量を表示し，その後設定された目標値を上記電子カメラに伝送するよう制御する，
　撮像システムの制御方法。
【請求項８】上記フィードバック制御される項目が，露光量，ホワイト・バランス，ブラック・バランス，フォーカシングおよびズーム量のうちの少なくとも一項目である，請求項７に記載の撮像システムの制御方法。
【請求項９】コンピュータ．システムと接続可能かつ交信可能な電子カメラが，
　上記コンピュータ・システムから自動制御指令が与えられたときに，被写体から得られる情報または設定された情報に基づいて目標値を決定し，電子カメラにおける撮像処理のための制御パラメータの現在の制御量を検出し，検出した制御量が決定した目標値と一致するようにフィードバック制御し，
　上記コンピュータ・システムから手動制御指令が与えられたときに，検出した電子カメラの制御パラメータの現在の制御量を上記コンピュータ・システムに送信しかつその後上記コンピュータ・システムから送信された目標値に基づいて上記制御量のフィードバック制御を行なうように制御する，
　電子カメラの制御方法。
【請求項１０】電子カメラと接続可能かつ交信可能なコンピュータ・システムが，
　自動制御指令が設定されたときに自動制御指令を発行して上記電子カメラに伝送し，
　手動制御モードが設定されたときに手動制御指令を発行して上記電子カメラに伝送し，
　上記手動制御指令に応答して上記電子カメラから伝送される上記電子カメラの制御パラメータの現在の制御量を受信し，その制御量を表示し，
　その後，上記手動制御モードにおいて設定された目標値を上記電子カメラに伝送するよう制御する，
　コンヒュ−夕・システムの制御方法。」
　
（３）引用発明の認定
　
（ア）刊行物１：特開昭６２−０３２５７３号公報（甲第１号証）
　刊行物１には、「特に自動的および／または半自動的に動作できる凹窩（ｆｏｖｅａｔｅｄ）電子カメラに関するものである。・・・監視用テレビジョン・カメラ、ロボットによる自動装置、標的追跡装置等の複雑な自動制御装置」（第３頁左上欄５行〜同頁右上欄５行）、「第１図には、必須の素子として凹窩（ｆｏｖｅａｔｅｄ）自動電子カメラ１００とコンピュータ １０２とを含む装置が示されている。・・・カメラ１００は必須の素子として高解像度、広視野イメージヤ手段１０６、イメージデータ減少手段１０８とを含んでいる。」（第４頁左上欄６〜１２行）「凹窩自動電子カメラ１００からの出力を構成するデータ減少手段１０８からの減少されたイメージ・データ出力はコンピュータ１０２に入力として供給される。」（第４頁左下欄１６〜１９行）、「イメージヤ手段１０６の視野内にある空間領域に関してコンピュータに供給された減少したイメージ・データ中に含まれる対象物の情報に従ってコンピュータ１０２からの出力により移動手段１１０が制御される。この場合、移動手段１１０は帰還信号をコンピュータ１０２に戻してイメージヤ手段１０６の実際の位置を表示させる。」（第５頁左上欄４〜１０行）、「前述のように、カメラ１００とコンピュータ１０２との組合わせにより人間のオペレータを必要としない完全自動化された装置を提供することができる。しかしながら、もし必要ならば第１図の装置は必要に応じて随時オペレータ段１０４を設けてもよい。第１図に示すように、段１０４は表示部１１２と手動制御部１１４とからなる。表示部１１２ はコンピュータ１０２によって引出されたイメージ情報をオペレータに対して表示し、手動制御部１１４は手動命令信号をコンピュータ１０２ に伝達する。一例として、これらの手動信号の目的は表示部１１２上に表示されるイメージ情報を選択し、また／あるいはコンピュータ１０２からデータ減少手段１０８、移動手段１１０、あるいは利用手段（図示せず）の任意のもの、あるいはすべてに送られる各出力を手動で制御することにある。」（第５頁左上欄１１行〜同頁右上欄６行）が記載されている。
　
（イ）刊行物２：特開昭６１−１０８２６６号公報（甲第２号証）
　刊行物２には、「本発明は、電荷結合素子等の撮像素子から得られる映像信号を記録媒体に記録する電子カメラに関し、特に露光の制御に関する。」（第１頁右欄３〜５行）」、「この電子カメラは一般のスチルカメラと同様にレンズ系１、アイリス２、シャッター２０、シャッター機能３等を本体内に備えている。またレンズ系１からの被写体像の画像情報を電気信号に変換る撮像素子１０と、この電気信号を映像信号に合成するビデオ回路１１と、この映像信号を記録媒体に記録する記録系１２を備えている。」（第３頁左上欄３〜１０行）、「また上記撮像素子１０と上記記録系回路１３及び上記記録系１２はシステム制御回路７により関連して制御される。」（第３頁左上欄２０行〜同頁右上欄２行）、「上記アイリス２の位置を制御するアイリス駆動回路５とこのアイリス２の位置を検出するアイリス位置検出回路４を備え、上記アイリス２と上記もアイリス駆動回路５及びアイリス位置検出回路４とにより連続露出制御装置２１を構成している。」（第３頁右上欄１２〜１７行）、「そして本実施例では上記アイリス位置検出回路４から供給させる信号をもとに上記アイリス駆動回路５及び上記シャッター駆動回路９を制御する露出制御回路６を備えている。」（第３頁右上欄２０行〜同頁左下欄３行）、「上記撮像素子１０、上記ビデオ回路１１、上記連続露出制御装置２１により構成される閉グループの制御系により、映像信号が一定レベルとなるよう露出制御がなされる。」（第３頁右下欄１０〜１３行）と記載されている。
　
（ウ）刊行物３：特開平０２−２２４４７７号公報（甲第３号証）
　刊行物３には、「撮像装置の露出制御装置に関するもので、特に自動及び手動露出動作の可能な装置に用いて好適なものである。」（第１頁右欄１０〜１２行）、「特にカメラ一体型ＶＴＲ等においては自動露光調節装置が標準的に装備されるようになっている。」（第１頁右欄１６〜１７行）、「特にカメラ一体型ＶＴＲ等においては自動露光調節装置が標準的に装備されるようになっている。」（第１頁右欄１６〜１７行）、「また第１図における露出制御の自動、手動を切り換えるスイッチ１７および手動露出制御モードにおいて露出を調節するＵＰ，ＤＯＷＮスイッチ３１、３２はカメラユニットＣＭ側に設けられ、その操作状態はカメラマイコン２０へと供給される。」（第４頁右下欄１９行〜第５頁左上欄４行）、「カメラ信号処理回路４より出力される輝度信号Ｙは…画面の輝度状態に応じ、適正露光を得るようアイリス２を制御する為の制御信号を発生させるべく、」（第５頁左上欄５〜８行）、「カメラマイコン２０に取り込まれたデータはその差に応じたアイリス制御データをもとめるべく所定の演算を行なった後にその結果がデータ通信路２７を介してレンズユニットＬＳ側のレンズマイコン２１に通信される。」（第５頁左上欄１３〜１７行）、「レンズマイコン２１はカメラマイコンより通信されたアイリス制御データを出力し、Ｄ／Ａ変換器２４にてアナログ信号に変換され、ドライバ１０、アクチュエータ１１を介しアイリス２を駆動制御する。」（第５頁右上欄１０〜１４行）、「また、アイリス２が上述の手動露出制御モードに保持されている状態において、カメラユニット側よりデータ通信路２７を介して前記記憶回路に記憶された値をＵＰスイッチ３１、ＤＯＷＮスイッチにより特定の範囲で加減算する事により、アイリス２の絞り値を任意に設定することができる。」（第５頁右下欄１３〜１９行）と記載されている。
　
（４）対比・判断
　
（ア）本件発明１について
　本件発明１は、刊行物１に記載された発明と比較すると、両者は、被写体を撮影し，撮影した被写体像を表わす画像データを生成する電子的撮像処理手段を備えた電子カメラ，および上記電子カメラと交信可能なコンピュータ・システムから構成された点で一致し、（Ａ）本件発明１は、電子カメラの電子的撮像処理手段が「電子カメラにおける撮像処理のための制御パラメータの現在の制御量を検出する制御量検出手段，上記制御量検出手段によって検出した制御量が所与の目標値と一致するようにフィードバック制御するフィードバック制御手段，自動制御モードにおいて，被写体から得られる情報またはすでに設定されている情報に基づいて目標値を決定し，この決定した目標値を上記フィードバック制御手段に与える自動制御手段，およびコンピュータ・システムから自動制御指令が与えられたときに上記自動制御手段を起動し，手動制御指令が与えられたときに上記制御量検出手段によって検出された現在の制御量を上記コンピュータ・システムに送信しかつその後上記コンピュータ・システムから送信された目標値を上記フィードバック制御手段に与える制御手段」を備えているのに対し、刊行物１に記載された発明は、電子カメラがその様な構成を備えていると記載されていない点、（Ｂ）本件発明１は、コンピュータシステムが「自動制御モードおよび手動制御モードのいずれか一方を設定するモード設定手段，上記モード設定手段により自動制御モードが設定されたときに上記自動制御指令を，手動制御モードが設定されたときに上記手動制御指令をそれぞれ発行して上記電子カメラに伝送する制御量伝送手段，上記手動制御指令を発行したときに，それに応答して上記電子カメラから伝送される，上記電子カメラの制御パラメータの現在の制御量を表示する制御量表示手段，手動制御モードにおいて目標値を設定する手段，ならびに設定された目標値を上記電子カメラに伝送する目標値伝送制御手段」を備えているのに対し、刊行物１に記載された発明は、コンピュータシステムがその様な構成を備えていると記載されていない点で相違する。
　そこで、相違点（Ａ）、（Ｂ）を検討すると、刊行物１に記載された「移動手段１１０は帰還信号をコンピュータ１０２に戻してイメージヤ手段１０６の実際の位置を表示させる。」、「表示部１１２ はコンピュータ１０２によって引出されたイメージ情報をオペレータに対して表示し」を検討しても、そこで表示するものは、位置およびイメージ情報であり、本件発明１の「電子カメラにおける撮像処理のための制御パラメータの現在の制御量」を表示することが記載されているものではないし、また、それを示唆するものでない。また、刊行物１に記載された「もし必要ならば第１図の装置は必要に応じて随時オペレータ段１０４を設けてもよい。第１図に示すように、段１０４は表示部１１２と手動制御部１１４とからなる。」は、本件発明１の「モード設定手段」、「制御量伝送手段」の構成までを示唆するものでない。そして、刊行物２に記載された発明及び刊行物３に記載された発明は、いずれも電子カメラ内部での露光の制御、露出の制御の構成を記載するに止まり、上記相違点（Ａ）、（Ｂ）を開示するものではない。また、上記相違点（Ａ），（Ｂ）の構成により、本件発明１は、明細書記載の格別の作用効果を奏するものである。
　したがって、本件発明１は、刊行物１ないし３に記載された発明に基づき、当業者が容易に想到することができたものとはいえない。
（イ）本件発明２ないし４について
　本件発明２ないし４は、いずれも本件発明１を引用し、更に限定を加えたものであるから、上記（ア）本件発明１についての対比・判断と同様な理由により、刊行物１ないし３に基づいて、当業者が、容易に想到することができたものとはいえない。
　
（ウ）本件発明５について
　本件発明５は、刊行物１に記載された発明と比較すると、両者は、コンピュータ・システムと接続可能かつ交信可能である電子カメラである点で一致し、（Ａ）本件発明５は、「電子カメラにおける撮像処理のための制御パラメータの現在の制御量を検出する制御量検出手段，上記制御量検出手段によって検出した制御量が所与の目標値と一致するようにフィードバック制御するフィードバック制御手段，自動制御モードにおいて，被写体から得られる情報または設定された情報に基づいて目標値を決定し，この決定した目標値を上記フィードバック制御手段に与える自動制御手段，および上記コンピュータ・システムから自動制御指令が与えられたときに上記自動制御手段を起動し，手動制御指令が与えられたときに上記制御量検出手段によって検出された，電子カメラの制御パラメータの現在の制御量を上記コンピュータ・システムに送信しかつその後上記コンピュータ・システムから伝送された目標値を上記フィードバック制御手段に与える目標値伝送制御手段」を備えているのに対し、刊行物１に記載された発明は、その様な構成を備えていると記載されていない点で相違する。
　そこで、相違点（Ａ）を検討すると、刊行物１に記載された「移動手段１１０は帰還信号をコンピュータ１０２に戻してイメージヤ手段１０６の実際の位置を表示させる。」、「表示部１１２ はコンピュータ１０２によって引出されたイメージ情報をオペレータに対して表示し」を検討しても、そこで表示するものは、位置およびイメージ情報であり、本件発明５の「電子カメラにおける撮像処理のための制御パラメータの現在の制御量」を表示することが記載されているものではないし、また、それを示唆するものでない。また、刊行物１の電子カメラに「手動制御指令が与えられたときに上記制御量検出手段によって検出された，電子カメラの制御パラメータの現在の制御量を上記コンピュータ・システムに送信しかつその後上記コンピュータ・システムから伝送された目標値を上記フィードバック制御手段に与える目標値伝送制御手段」を示唆する記載はない。そして、刊行物２に記載された発明及び刊行物３に記載された発明は、いずれも電子カメラ内部での露光の制御、露出の制御の構成を記載するに止まり、上記相違点（Ａ）を開示するものではない。また、上記相違点（Ａ）の構成により、本件発明５は、明細書記載の格別の作用効果を奏するものである。
　したがって、本件発明５は、刊行物１ないし３に記載された発明に基づき、当業者が容易に想到することができたものとはいえない。
　
（エ）本件発明６について
　本件発明６は、刊行物１に記載された発明と比較すると、両者は、電子カメラと接続可能かつ交信可能であるコンピュータ・システムである点で一致し、（Ａ）本件発明６は、コンピュータシステムが「自動制御モードおよび手動制御モードのいずれか一方を設定する手段，自動制御モードが設定されたときに自動制御指令を発行して上記電子カメラに伝送する自動制御指令伝送手段，手動制御モードが設定されたときに手動制御指令を発行して上記電子カメラに伝送する手動制御指令伝送手段，上記手動制御指令を発行したときに，それに応答して上記電子カメラから伝送される.上記電子カメラの制御パラメータの現在の制御量を受信し，その現在の制御量を表示する制御量表示手段，手動制御モードにおいて目標値を設定する手段，ならびに設定された目標値を上記電子カメラに伝送する目標値伝送手段」を備えているのに対し、刊行物１に記載された発明は、その様な構成を備えていると記載されていない点で相違する。
　そこで、相違点（Ａ）を検討すると、刊行物１に記載された「移動手段１１０は帰還信号をコンピュータ１０２に戻してイメージヤ手段１０６の実際の位置を表示させる。」、「表示部１１２ はコンピュータ１０２によって引出されたイメージ情報をオペレータに対して表示し」を検討しても、そこで表示するものは、位置およびイメージ情報であり、本件発明６の「電子カメラの制御パラメータの現在の制御量」を表示することが記載されているものではないし、また、それを示唆するものでない。また、刊行物１に記載された「もし必要ならば第１図の装置は必要に応じて随時オペレータ段１０４を設けてもよい。第１図に示すように、段１０４は表示部１１２と手動制御部１１４とからなる。」は、本件発明６の「自動制御モードおよび手動制御モードのいずれか一方を設定する手段」、「手動制御指令伝送手段」の構成までを示唆するものでない。そして、刊行物２に記載された発明及び刊行物３に記載された発明は、いずれも電子カメラ内部での露光の制御、露出の制御の構成を記載するに止まり、上記相違点（Ａ）を開示するものではない。また、上記相違点（Ａ）の構成により、本件発明６は、明細書記載の格別の作用効果を奏するものである。
　したがって、本件発明６は、刊行物１に記載された発明と同一であるとはいえないし、刊行物１ないし３に記載された発明に基づき、当業者が容易に想到することができたものであるとはいえない。
　
（オ）本件発明７について
　本件発明７は、刊行物１に記載された発明と比較すると、両者は、被写体を撮影し，撮影した被写体像を表わす画像データを生成する電子カメラおよび上記電子カメラと交信可能なコンピュータ・システムから構成される撮像システムの制御方法である点で一致し、（Ａ）本件発明７は、電子カメラの制御が「コンピュータ・システムから自動制御指令が与えられたときに，被写体から得られる情報またはすでに設定されている情報に基づいて目標値を決定し，電子カメラにおける撮像処理のための制御パラメータの現在の制御量を検出し，検出した制御量が決定した目標値と一致するようにフィードバック制御し，上記コンピュータ・システムから手動制御指令が与えられたときに，検出した現の制御量を上記コンピュータ・システムに送信しかつその後上記コンピュータ・システムから送信される目標値に基づいて上記制御量のフィードバック制御をテなうように制御し」としているのに対し、刊行物１に記載された発明は、その様な制御をしているとは、記載されていない点、（Ｂ）本件発明１は、コンピュータシステムの制御が「自動制御モードが設定されたときに上記自動制御指令を，手動制御モードが設定されたときに上記手動制御指令をそれぞれ発行して上記電子カメラに伝送し，上記手動制御指令を発行したときに，それに応答して上記電子カメラから伝送さる現在の制御量を表示し，その後設定された目標値を上記電子カメラに伝送するよう制御する」としているのに対し、刊行物１に記載された発明は、その様な制御をしているとは、記載されていない点で相違する。
　そこで、相違点（Ａ）、（Ｂ）を検討すると、刊行物１に記載された「移動手段１１０は帰還信号をコンピュータ１０２に戻してイメージヤ手段１０６の実際の位置を表示させる。」、「表示部１１２ はコンピュータ１０２によって引出されたイメージ情報をオペレータに対して表示し」を検討しても、そこで表示するものは、位置およびイメージ情報であり、本件発明７の「電子カメラにおける撮像処理のための制御パラメータの現在の制御量」を表示することが記載されているものではないし、また、それを示唆するものでない。また、刊行物１に記載された「もし必要ならば第１図の装置は必要に応じて随時オペレータ段１０４を設けてもよい。第１図に示すように、段１０４は表示部１１２と手動制御部１１４とからなる。」は、本件発明７の「自動制御モードが設定されたときに上記自動制御指令を，手動制御モードが設定されたときに上記手動制御指令をそれぞれ発行して上記電子カメラに伝送し」までを示唆するものでない。そして、刊行物２に記載された発明及び刊行物３に記載された発明は、いずれも電子カメラ内部での露光の制御、露出の制御を記載するに止まり、上記相違点（Ａ）、（Ｂ）を開示するものではない。また、上記相違点（Ａ），（Ｂ）の構成により、本件発明７は、明細書記載の格別の作用効果を奏するものである。
　したがって、本件発明１は、刊行物１ないし３に記載された発明に基づき、当業者が容易に想到することができたものとはいえない。
　
（カ）本件発明８について
　本件発明８は、本件発明７を引用し、更に限定を加えたものであるから、上記（オ）本件発明７についての対比・判断と同様な理由により、刊行物１ないし３に基づいて、当業者が、容易に想到できたものとはいえない。
　
（キ）本件発明９について
　本件発明９は、刊行物１に記載された発明と比較すると、両者は、コンピュータ・システムと接続可能かつ交信可能である電子カメラの制御方法である点で一致し、（Ａ）本件発明９は、「コンピュータ・システムから自動制御指令が与えられたときに，被写体から得られる情報または設定された情報に基づいて目標値を決定し，電子カメラにおける撮像処理のための制御パラメータの現在の制御量を検出し，検出した制御量が決定した目標値と一致するようにフィードバック制御し，上記コンピュータ・システムから手動制御指令が与えられたときに，検出した電子カメラの制御パラメータの現在の制御量を上記コンピュータ・システムに送信しかつその後上記コンピュータ・システムから送信された目標値に基づいて上記制御量のフィードバック制御を行なうように制御する」のに対し、刊行物１に記載された発明は、その様な制御をしているとは記載されていない点で相違する。
　そこで、相違点（Ａ）を検討すると、刊行物１に記載された「移動手段１１０は帰還信号をコンピュータ１０２に戻してイメージヤ手段１０６の実際の位置を表示させる。」、「表示部１１２ はコンピュータ１０２によって引出されたイメージ情報をオペレータに対して表示し」を検討しても、そこで表示するものは、位置およびイメージ情報であり、本件発明９の「電子カメラにおける撮像処理のための制御パラメータの現在の制御量」を表示することが記載されているものではないし、また、それを示唆するものでない。また、刊行物１の電子カメラに「コンピュータ・システムから手動制御指令が与えられたときに，検出した電子カメラの制御パラメータの現在の制御量を上記コンピュータ・システムに送信しかつその後上記コンピュータ・システムから送信された目標値に基づいて上記制御量のフィードバック制御を行なうように制御する」を示唆する記載はない。そして、刊行物２に記載された発明及び刊行物３に記載された発明は、いずれも電子カメラ内部での露光の制御、露出の制御を記載するに止まり、上記相違点（Ａ）を開示するものではない。また、上記相違点（Ａ）の構成により、本件発明９は、明細書記載の格別の作用効果を奏するものである。
　したがって、本件発明５は、刊行物１ないし３に記載された発明に基づき、当業者が容易に想到することができたものとはいえない。
　
（ク）本件発明１０について
　本件発明１０は、刊行物１に記載された発明と比較すると、両者は、電子カメラと接続可能かつ交信可能であるコンピュータ・システムの制御法である点で一致し、（Ａ）本件発明１０は、コンピュータシステムの制御が「自動制御指令が設定されたときに自動制御指令を発行して上記電子カメラに伝送し，手動制御モードが設定されたときに手動制御指令を発行して上記電子カメラに伝送し，上記手動制御指令に応答して上記電子カメラから伝送される上記電子カメラの制御パラメータの現在の制御量を受信し，その制御量を表示し，その後，上記手動制御モードにおいて設定された目標値を上記電子カメラに伝送するよう制御する」のに対し、刊行物１に記載された発明は、その様な制御をしていると記載されていない点で相違する。
　そこで、相違点（Ａ）を検討すると、刊行物１に記載された「移動手段１１０は帰還信号をコンピュータ１０２に戻してイメージヤ手段１０６の実際の位置を表示させる。」、「表示部１１２ はコンピュータ１０２によって引出されたイメージ情報をオペレータに対して表示し」を検討しても、そこで表示するものは、位置およびイメージ情報であり、本件発明１０の「電子カメラの制御パラメータの現在の制御量」を表示することが記載されているものではないし、また、それを示唆するものでない。また、刊行物１に記載された「もし必要ならば第１図の装置は必要に応じて随時オペレータ段１０４を設けてもよい。第１図に示すように、段１０４は表示部１１２と手動制御部１１４とからなる。」は、本件発明１０の制御方法までを示唆するものでない。そして、刊行物２に記載された発明及び刊行物３に記載された発明は、いずれも電子カメラ内部での露光の制御、露出の制御を記載するに止まり、上記相違点（Ａ）を開示するものではない。また、上記相違点（Ａ）の構成により、本件発明１０は、明細書記載の格別の作用効果を奏するものである。
　したがって、本件発明１０は、刊行物１に記載された発明と同一であるとはいえないし、刊行物１ないし３に記載された発明に基づき、当業者が容易に想到することができたものであるとはいえない。
　
（５）むすび
　以上のとおりであるから、特許異議申立ての理由及び証拠によっては、本件請求項１ないし１０に係る特許を取り消すことはできない。
　また、他に本件請求項１ないし１０に係る特許を取り消すべき理由を発見しない。
　よって、結論のとおり決定する。
【異議決定日】
平成１３年６月１２日（２００１．６．１２）
【訂正の要旨】
▲１▼特許請求の範囲の請求項１の「撮像処理のための現在の制御量を検出する制御量検出手段，」を，特許請求の範囲の減縮を目的として，「上記電子カメラにおける撮像処理のための制御パラメータの現在の制御量を検出する制御量検出手段，」と訂正する。
▲２▼特許請求の範囲の請求項１の「上記手動制御指令を発行したときに，それに応答して上記電子カメラから伝送される現在の制御量を表示する制御量表示手段，」を，特許請求の範囲の減縮を目的として，「上記手動制御指令を発行したときに，それに応答して上記電子カメラから伝送される，上記電子カメラの制御パラメータの現在の制御量を表示する制御量表示手段，」と訂正する。
▲３▼特許請求の範囲の請求項５の「撮像処理のための現在の制御量を検出する制御量検出手段，」を，特許請求の範囲の減縮を目的として，「電子カメラにおける撮像処理のための制御パラメータの現在の制御量を検出する制御量検出手段，」と訂正する。
▲４▼特許請求の範囲の請求項５の「上記コンピュータ・システムから自動制御指令が与えられたときに上記自動制御手段を起動し，手動制御指令が与えられたときに上記制御量検出手段によって検出された現在の制御量を上記コンピュータ・システムに送信しかつその後上記コンピュータ・システムから伝送された目標値を上記フィードバック制御手段に与える目標値伝送制御手段，」を，特許請求の範囲の減縮を目的として，「上記コンピュータ・システムから自動制御指令が与えられたときに上記自動制御手段を起動し，手動制御指令が与えられたときに上記制御量検出手段によって検出された，電子カメラの制御パラメータの現在の制御量を上記コンピュータ・システムに送信しかつその後上記コンピュータ・システムから伝送された目標値を上記フィードバック制御手段に与える目標値伝送制御手段，」と訂正する。
▲５▼特許請求の範囲の請求項６の「上記手動制御指令を発行したときに，それに応答して上記電子カメラから伝送される現在の制御量を受信し，その現在の制御量を表示する制御量表示手段，」を，特許請求の範囲の減縮を目的として，「上記手動制御指令を発行したときに，それに応答して上記電子カメラから伝送される，上記電子カメラの制御パラメータの現在の制御量を受信し，その現在の制御量を表示する制御量表示手段，」と訂正する。
▲６▼特許請求の範囲の請求項７の「上記コンピュータ・システムから自動制御指令が与えられたときに，被写体から得られる情報またはすでに設定されている情報に基づいて目標値を決定し，撮像処理のための現在の制御量を検出し，検出した制御量が決定した目標値と一致するようにフィードバック制御し，」を，特許請求の範囲の減縮を目的として，「上記コンピュータ・システムから自動制御指令が与えられたときに，被写体から得られる情報またはすでに設定されている情報に基づいて目標値を決定し，電子カメラにおける撮像処理のための制御パラメータの現在の制御量を検出し，検出した制御量が決定した目標値と一致するようにフィードバック制御し，」と訂正する。
▲７▼特許請求の範囲の請求項９の「上記コンピュータ・システムから自動制御指令が与えられたときに，被写体から得られる情報または設定された情報に基づいて目標値を決定し，撮像処理のための現在の制御量を検出し，検出した制御量が決定した目標値と一致するようにフィードバック制御し，」を，特許請求の範囲の減縮を目的として，「上記コンピュータ・システムから自動制御指令が与えられたときに，被写体から得られる情報または設定された情報に基づいて目標値を決定し，電子カメラにおける撮像処理のための制御パラメータの現在の制御量を検出し，検出した制御量が決定した目標値と一致するようにフィードバック制御し，」と訂正する。
▲８▼特許請求の範囲の請求項９の「上記コンピュータ・システムから手動制御指令が与えられたときに，検出した現在の制御量を上記コンピュータ・システムに送信しかつその後上記コンピュータ・システムから送信された目標値に基づいて上記制御量のフィードバック制御を行なうように制御する，」を，特許請求の範囲の減縮を目的として，「上記コンピュータ・システムから手動制御指令が与えられたときに，検出した電子カメラの制御パラメータの現在の制御量を上記コンピュータ・システムに送信しかつその後上記コンピュータ・システムから送信された目標値に基づいて上記制御量のフィードバック制御を行なうように制御する，」と訂正する。
▲９▼特許請求の範囲の請求項１０の「上記手動制御指令に応答して上記電子カメラから伝送される現在の制御量を受信し，その制御量を表示し，」を，特許請求の範囲の減縮を目的として，「上記手動制御指令に応答して上記電子カメラから伝送される，上記電子カメラの制御パラメータの現在の制御量を受信し，その制御量を表示し，」と訂正する。
▲１０▼訂正前の明細書の段落番号【００１３】（特許掲載公報第６欄第２８行から第２９行）の「撮像処理のための現在の制御量を検出する制御量検出手段，」を，不明瞭な記載の釈明を目的として，「上記電子カメラにおける撮像処理のための制御パラメータの現在の制御量を検出する制御量検出手段，」と訂正する。
▲１１▼訂正前の明細書の段落番号【００１４】（特許掲載公報第６欄第４７行から第５０行）の「上記手動制御指令を発行したときに，それに応答して上記電子カメラから伝送される現在の制御量を表示する制御量表示手段，」を，不明瞭な記載の釈明を目的として，「上記手動制御指令を発行したときに，それに応答して上記電子カメラから伝送される，上記電子カメラの制御パラメータの現在の制御量を表示する制御量表示手段，」と訂正する。
（５４）【発明の名称】
撮像システム，電子カメラおよび電子カメラを制御するコンピュータ・システム，ならびにそれらの制御方法
（５７）【特許請求の範囲】
　【請求項１】　被写体を撮影し，撮影した被写体像を表わす画像データを生成する電子的撮像処理手段を備えた電子カメラ，および上記電子カメラと交信可能なコンピュータ・システムから構成され，
　上記電子カメラの電子的撮像処理手段が，
　
上記電子カメラにおける
制御パラメータの
　上記制御量検出手段によって検出した制御量が所与の目標値と一致するようにフィードバック制御するフィードバック制御手段，
　自動制御モードにおいて，被写体から得られる情報またはすでに設定されている情報に基づいて目標値を決定し，この決定した目標値を上記フィードバック制御手段に与える自動制御手段，および
　上記コンピュータ・システムから自動制御指令が与えられたときに上記自動制御手段を起動し，手動制御指令が与えられたときに上記制御量検出手段によって検出された現在の制御量を上記コンピュータ・システムに送信しかつその後上記コンピュータ・システムから送信された目標値を上記フィードバック制御手段に与える制御手段を備え，
　上記コンピュータ・システムが，
　自動制御モードおよび手動制御モードのいずれか一方を設定するモード設定手段，
　上記モード設定手段により自動制御モードが設定されたときに上記自動制御指令を，手動制御モードが設定されたときに上記手動制御指令をそれぞれ発行して上記電子カメラに伝送する制御量伝送手段，
　上記手動制御指令を発行したときに，それに応答して上記電子カメラから伝送される
，上記電子カメラの制御パラメータの
　手動制御モードにおいて目標値を設定する手段，ならびに
　設定された目標値を上記電子カメラに伝送する目標値伝送制御手段を備えている，
　撮像システム。
　【請求項２】　上記フィードバック制御手段によって制御される項目が，露光量，ホワイト・バランス，ブラック・バランス，フォーカシングおよびズーム量のうちの少なくとも一項目である，請求項１に記載の撮像システム。
　【請求項３】　上記電子カメラと上記コンピュータ・システムとが別体に形成され，かつ通信線で接続されている，請求項１に記載の撮像システム。
　【請求項４】　上記電子カメラと上記コンピュータ・システムとが一体に形成されている，請求項１に記載の撮像システム。
　【請求項５】　コンピュータ・システムと接続可能かつ交信可能であり，
　
電子カメラにおける
制御パラメータの
　上記制御量検出手段によって検出した制御量が所与の目標値と一致するようにフィードバック制御するフィードバック制御手段，
　自動制御モードにおいて，被写体から得られる情報または設定された情報に基づいて目標値を決定し，この決定した目標値を上記フィードバック制御手段に与える自動制御手段，および
　上記コンピュータ・システムから自動制御指令が与えられたときに上記自動制御手段を起動し，手動制御指令が与えられたときに上記制御量検出手段によって検出された
，電子カメラの制御パラメータの
　を備えた電子カメラ。
　【請求項６】　電子カメラと接続可能かつ交信可能であり，
　自動制御モードおよび手動制御モードのいずれか一方を設定する手段，
　自動制御モードが設定されたときに自動制御指令を発行して上記電子カメラに伝送する自動制御指令伝送手段，
　手動制御モードが設定されたときに手動制御指令を発行して上記電子カメラに伝送する手動制御指令伝送手段，
　上記手動制御指令を発行したときに，それに応答して上記電子カメラから伝送される
，上記電子カメラの制御パラメータの
　手動制御モードにおいて目標値を設定する手段，ならびに
　設定された目標値を上記電子カメラに伝送する目標値伝送手段，
　を備えたコンピュータ・システム。
　【請求項７】　被写体を撮影し，撮影した被写体像を表わす画像データを生成する電子カメラ，および上記電子カメラと交信可能なコンピュータ・システムから構成される撮像システムの制御方法であり，
　上記電子カメラが，
　上記コンピュータ・システムから自動制御指令が与えられたときに，被写体から得られる情報またはすでに設定されている情報に基づいて目標値を決定し，
電子カメラにおける
制御パラメータの現在の制御量
　上記コンピュータ・システムから手動制御指令が与えられたときに，検出した現在の制御量を上記コンピュータ・システムに送信しかつその後上記コンピュータ・システムから送信される目標値に基づいて上記制御量のフィードバック制御を行なうように制御し，
　上記コンピュータ・システムが，
　自動制御モードが設定されたときに上記自動制御指令を，手動制御モードが設定されたときに上記手動制御指令をそれぞれ発行して上記電子カメラに伝送し，
　上記手動制御指令を発行したときに，それに応答して上記電子カメラから伝送される現在の制御量を表示し，その後設定された目標値を上記電子カメラに伝送するよう制御する，
　撮像システムの制御方法。
　【請求項８】　上記フィードバック制御される項目が，露光量，ホワイト・バランス，ブラック・バランス，フォーカシングおよびズーム量のうちの少なくとも一項目である，請求項７に記載の撮像システムの制御方法。
　【請求項９】　コンピュータ・システムと接続可能かつ交信可能な電子カメラが，
　上記コンピュータ・システムから自動制御指令が与えられたときに，被写体から得られる情報または設定された情報に基づいて目標値を決定し，
電子カメラにおける
制御パラメータの
　上記コンピュータ・システムから手動制御指令が与えられたときに，検出した
電子カメラの制御パラメータの
　電子カメラの制御方法。
　【請求項１０】　電子カメラと接続可能かつ交信可能なコンピュータ・システムが，
　自動制御指令が設定されたときに自動制御指令を発行して上記電子カメラに伝送し，
　手動制御モードが設定されたときに手動制御指令を発行して上記電子カメラに伝送し，
　上記手動制御指令に応答して上記電子カメラから伝送される，
上記電子カメラの制御パラメータの
　その後，上記手動制御モードにおいて設定された目標値を上記電子カメラに伝送するよう制御する，
　コンピュータ・システムの制御方法。
【発明の詳細な説明】
　【０００１】
　【技術分野】
　この発明は撮像システム，電子カメラおよび電子カメラを制御するコンピュータ・システム，ならびにそれらの制御方法に関する。
　【０００２】
　【背景技術】
　被写体を撮影し，撮影した被写体像を表わすアナログ映像信号またはディジタル画像データを出力する電子カメラには，ビデオ・カメラ，スチル・ビデオ・カメラ（電子スチル・カメラ），ディジタル・スチル・ビデオ・カメラ（ディジタル電子スチル・カメラ）等がある。
　【０００３】
　これらの電子カメラでは例外なく，シャッタ・レリーズはもちろん，露光量（絞り値およびシャッタ速度），ホワイト・バランス等の撮像および画像処理のためのいわゆるカメラ制御パラメータの設定（自動設定の場合を除いて）は電子カメラに設けられたスイッチ・ボタン等を用いて電子カメラ側で行なわれていた。
　【０００４】
　電子カメラ，とりわけディジタル画像データが得られるディジタル・タイプの電子カメラはコンピュータ・システムと結合された応用の展開が可能であるので，最近注目を集めている。たとえば，電子カメラから得られる被写体像を表わす画像データをコンピュータ・システムに設けられている光ディスク，磁気ディスク等の記録媒体に保存したり，これらを編集することにより，ニュー・メディアを作成することができる。このニュー・メディアは画像による広報，広告，資料の提示，情報の提供等に利用することができる。
　【０００５】
　このようなニュー・メディア作成のためには電子カメラで撮影により得られた画像データをコンピュータ・システムに伝送しなければならない。一般に画像データは大容量のものであるから伝送のために長い時間がかかる。
　【０００６】
　電子カメラで撮影した被写体像を表わす画像データを記録媒体に格納する前に，被写体が適切に撮影されているかどうかを調べることは重要である。撮影が適切でなければ，カメラ制御パラメータの再設定を含めて撮影のやり直しが必要である。
　【０００７】
　被写体が適切に撮影されているかどうかを視覚的に調べるためには，電子カメラから得られるディジタル画像データによって表わされる被写体像を表示装置に表示する必要がある。被写体像をコンピュータ・システムに設けられた表示装置の画面上に表示しようとすると，全画像データを電子カメラからコンピュータ・システムに伝送することが必要となり，上述のように伝送時間が長くかかり能率的ではない。
　【０００８】
　上述のように撮影のためのカメラ制御パラメータの設定は電子カメラにおいて行なわれる。撮影条件を変更するたびに，コンピュータ・システムの操作者が電子カメラの設置場所まで行って調整するのは煩雑である。
　【０００９】
　さらに，電子カメラによって撮影された被写体像の全体を常に記録媒体に格納するのが好ましいとは限らない。撮影された被写体像の一部のみしか必要ない場合もある。必要な画像データのみを切出して記録媒体に格納すればその容量の節約になる。また，記録媒体に格納する画像を必要に応じて拡大，縮小することも要求される。
　【００１０】
　このような観点から，電子カメラとコンピュータ・システムとを結合させて構成される撮像システムでは，撮影のための操作，画像データ通信のための操作，画像データの記録媒体への格納のための操作等をすべてコンピュータ・システムにおいて行なえるようにすることが望まれる。
　【００１１】
　【発明の開示】
　この発明は電子カメラとコンピュータ・システムとを結合させて構成される撮像システムにおいて，露光量，各種バランス等のカメラ制御パラメータの設定をコンピュータ・システム側で行なえるようにすることを目的とする。
　【００１２】
　この発明による撮像システムは，被写体を撮影し，撮影した被写体像を表わす画像データを生成する電子的撮像処理手段を備えた電子カメラ，および上記電子カメラと交信可能なコンピュータ・システムから構成される。
　【００１３】
　上記電子カメラの電子的撮像処理手段は，
上記電子カメラにおける
制御パラメータの
　【００１４】
　上記コンピュータ・システムは，自動制御モードおよび手動制御モードのいずれか一方を設定するモード設定手段，上記モード設定手段により自動制御モードが設定されたときに上記自動制御指令を，手動制御モードが設定されたときに上記手動制御指令をそれぞれ発行して上記電子カメラに伝送する制御量伝送手段，上記手動制御指令を発行したときに，それに応答して上記電子カメラから伝送される
，上記電子カメラの制御パラメータの
　【００１５】
　この発明はまた，上記撮像システムの制御方法，上記撮像システムを構成する電子カメラおよびコンピュータ・システム，ならびにそれらの制御方法を提供している。
　【００１６】
　上記自動制御手段によってフィードバック制御されるカメラ制御パラメータには露光量，ホワイト・バランス，ブラック・バランス，フォーカシング，ズーム量などを例示することができる。
　【００１７】
　たとえば露光量の制御においては，被写体の明るさが測定される。この測光値に基づいて絞り値およびシャッタ速度（目標値に対応）が決定される。そのときの絞り値（現在の制御量に対応）が検出され，絞り値が目標絞り値になるように電子カメラにおいてフィードバック制御が行なわれる。手動制御モードにおいては，電子カメラで検出された絞り値がコンピュータ・システムに伝送され，かつ表示される。この表示をみて利用者は目標となる絞り値をコンピュータ・システムにおいて設定することができる。コンピュータ・システムにおいて設定された目標絞り値は電子カメラに伝送され，電子カメラにおいて上記のフィードバック制御が実行されることになる。
　【００１８】
　後述するこの発明の好ましい実施例におけるオート・モードおよびリモート・モードがそれぞれこの発明の自動制御モードおよび手動制御モードに対応する。
　【００１９】
　この発明によると，コンピュータ・システムにおいて手動制御モードが設定されると，手動制御指令が電子カメラに伝送される。これに応答して電子カメラは制御パラメータの現在の制御量をコンピュータ・システムに送信する。受信した制御量はコンピュータ・システムにおいて表示される。したがって，この撮像システムの利用者は，表示された制御量をみて，制御パラメータの目標値を変更または設定する必要があるかどうかを判断することができる。また利用者は，カメラにおける現在の制御量を参考にして制御パラメータの目標値を決定することができる。利用者はコンピュータ・システムにおいて電子カメラの制御パラメータの目標値を設定することができる。コンピュータ・システムにおいて設定された目標値は電子カメラに送信される。これに対応して，電子カメラでは制御パラメータの現在の制御量が目標値に一致するようにフィードバック制御が行なわれる。
　【００２０】
　【実施例】
　図１はこの発明の実施例を示すもので，撮像システムの構成を示している。
　【００２１】
　撮像システムは，被写体ＯＢを撮影し被写体像を表わす画像データを生成する電子カメラ１０および電子カメラ１０と通信路により接続されたホスト・コンピュータ３０とから構成されている。電子カメラ１０はたとえばディジタル電子スチル・カメラである。
　【００２２】
　電子カメラ１０には被写体像を表示するためのモニタ表示装置５が接続されている。モニタ表示装置５は電子カメラ１０と一体化されたビューファインダであってもよい。
　【００２３】
　ホスト・コンピュータ３０には表示装置４０が接続されており，表示装置４０に電子カメラ１０を用いて撮影した被写体像や，後に詳述するカメラ制御パラメータ，キャプチャ・コマンド等が表示される。またホスト・コンピュータ３０には入力装置としてのキーボード３６およびマウス３７，ならびに画像データの記録のための光ディスク装置３８が接続されている。
　【００２４】
　図２は図１に示す撮像システムの電気的構成を示すブロック図である。
　【００２５】
　電子カメラ１０の撮影動作，画像データの加工および送信処理等はホスト・コンピュータ３０から送信されるコマンドに基づいて動作するカメラ制御装置１８によって統括される。ホスト・コンピュータ３０から送信されるコマンドの受信およびホスト・コンピュータ３０への画像データの送信のために，電子カメラ１０には通信インターフェイス９が含まれている。
　【００２６】
　電子カメラ１０には被写体像を結像するためのズーム・レンズ機構１１，絞り１２，被写体像の結像位置に配置され，撮影した被写体像を表わす映像信号を出力するＣＣＤ１３，ＣＣＤ１３から出力される映像信号に，色分離，白バランス調整，黒バランス調整等を施してＲＧＢ信号を得る信号処理回路１４が含まれている。
　【００２７】
　ズーム・レンズ機構１１のズーム量の調整および絞り１２の制御を行なうためにディジタル／アナログ（Ｄ／Ａ）変換回路２２およびドライバ２３が含まれている。カメラ制御装置１８からズーム量についての制御データおよび絞りの制御データが出力され，Ｄ／Ａ変換回路２２を介してドライバ２３が駆動され，ズーム量の調整および絞りの調整がそれぞれ行なわれる。
　【００２８】
　信号処理回路１４における信号処理もカメラ制御装置１８によって行なわれる。カメラ制御装置１８から出力される信号処理についてのディジタル制御データをアナログ制御信号に変換して信号処理回路１４に与えるために電子カメラ１０にはＤ／Ａ変換回路２８が含まれている。
　【００２９】
　また電子カメラ１０には測光素子２０が含まれている。測光素子２０から出力される受光量を表わす信号はアナログ／ディジタル（Ａ／Ｄ）変換回路２１に与えられディジタル・データに変換されてカメラ制御装置１８に与えられる。測光素子２０から得られる受光量についてのデータは絞り１２の制御，信号処理回路１４における白バランス調整および黒バランス調整に利用される。
　【００３０】
　ズーム・レンズ機構１１におけるズーム量および絞り１２の絞り量をカメラ制御装置１８において把握するために増幅器２４およびＡ／Ｄ変換回路２５が含まれている。増幅器２４およびＡ／Ｄ変換回路２５を介してズーム量および絞り量を表わすデータがカメラ制御装置１８に与えられる。
　【００３１】
　信号処理回路１４における白バランス量および黒バランス量をカメラ制御装置１８において把握するために積分回路２６およびＡ／Ｄ変換回路２７が含まれている。積分回路２６は信号処理回路１４から得られる輝度信号Ｙならびに色差信号Ｒ−ＧおよびＢ−Ｇをそれぞれ積分するもので，積分された信号はＡ／Ｄ変換回路２７を経てカメラ制御装置１８に与えられる。これによりカメラ制御装置１８において白バランス量および黒バランス量が把握される。
　【００３２】
　電子カメラ１０にはさらに，信号処理回路１４から出力されるＲＧＢ信号をディジタル画像データに変換するアナログ／ディジタル（Ａ／Ｄ）変換回路１５，Ａ／Ｄ変換回路１５において変換されたディジタル画像データを記憶する画像メモリ１６，画像データによって表わされる画素を間引く間引回路１９，および主メモリ１７が含まれている。主メモリ１７にはホスト・コンピュータ３０に送信する画像データを一時的に記憶する転送バッファ１７Ａ，シャッタ制御，白バランスおよび黒バランスの調整のためのホスト・コンピュータ３０から送信されるカメラ制御パラメータを記憶するカメラ制御パラメータ記憶部１７Ｂ，ならびに現在の制御量が記憶される制御量記憶部１７Ｃが設けられている。画像メモリ１６は少なくとも１フレーム分の画像データを記憶できる容量をもつ。
　【００３３】
　さらに電子カメラ１０には撮影した被写体像をモニタ表示装置５に表示するためにディジタル画像データをアナログ映像信号に変換するＤ／Ａ変換回路２９が含まれている。
　【００３４】
　ホスト・コンピュータ３０にはＣＰＵ３１が含まれており，ＣＰＵ３１によってホスト・コンピュータ３０の動作が統括される。ホスト・コンピュータ３０に接続されたキーボード３６およびマウス３７からＣＰＵ３１に与えられる入力信号にもとづいてＣＰＵ３１は後述する各種のデータ，コマンド等を作成する。
　【００３５】
　またホスト・コンピュータ３０には通信インターフェイス３３が含まれており，ＣＰＵ３１によって作成されたデータやコマンドの電子カメラ１０への送信および電子カメラ１０から送信される画像データの受信がこの通信インターフェイス３３を通して行なわれる。
　【００３６】
　さらにホスト・コンピュータ３０には主メモリ３２および表示メモリ３４が含まれている。主メモリ３２には，電子カメラ１０から送信される画像データを記憶する転送バッファ３２Ａ，およびキーボード３６またはマウス３７によって表示装置４０の画面上に設定された露光量，黒バランス，白バランスなどのカメラ制御パラメータを記憶するカメラ制御パラメータ記憶部３２Ｂが含まれている。表示メモリ３４には表示装置４０に表示される画像，文字および記号を表わすデータが記憶される。
　【００３７】
　ホスト・コンピュータ３０には光ディスク装置３８が接続され，光ディスク装置３８において画像データが光ディスクに記録される。
　【００３８】
　鎖線で示すようにホスト・コンピュータ３０にモニタ表示装置５Ａを付属させ，このモニタ表示装置５Ａと電子カメラ１０とを直接に接続し，電子カメラ１０において撮影した被写体像をこのモニタ表示装置５Ａに表示してホスト・コンピュータ３０を操作しながら見ることができるようにしてもよい。
　【００３９】
　図３および図４はこの撮像システムにおける撮像，伝送，表示，記録等の処理手順を示すフローチャートであり，図３はホスト・コンピュータ３０における処理手順を，図４は電子カメラ１０における処理手順をそれぞれ示している。
　【００４０】
　図５はホスト・コンピュータ３０におけるセットアップ処理の一部を示すフローチャート，図６は電子カメラ１０における初期処理を示すフローチャート，図７は電子カメラ１０におけるカメラ制御パラメータ設定処理を示すフローチャートである。
　【００４１】
　図８は表示装置４０の画面に設定される各種領域を示すものである。図９は表示装置４０の画面に設定される各種領域のうち一部の領域の表示例を示すもので，主としてセットアップ領域の表示例を示している。図１０から図２４は表示装置４０に表示される画面の例を示している。
　【００４２】
　電子カメラ１０の電源が入れられると初期処理が行なわれる。
　【００４３】
　この電子カメラ１０は電子カメラ１０の制御量を電子カメラ１０において自動設定するオート機能，ホスト・コンピュータ３０において設定するリモート機能，および電子カメラ１０において操作者が設定するマニュアル機能を有している。
　【００４４】
　まず絞り１２がリモート制御またはオート制御可能かどうかが判断される（図６ステップ１０１）。
　【００４５】
　黒バランス調整のために絞り１２が完全に閉鎖されるように制御され，絞り１２が完全に閉鎖されたかどうかが調べられる（図６ステップ１０２）。
　【００４６】
　絞り１２のリモート制御もしくはオート制御ができないときまたは絞り１２が完全に閉鎖されないときは，絞り１２をマニュアル設定するようモニタ表示装置５に表示される（図６ステップ１０３）。
　【００４７】
　絞り１２がリモートまたはオート制御可能であり，かつ絞り１２が完全に閉鎖されているときには測光素子２０から得られる情報にしたがってオート黒バランス処理が実行される（図６ステップ１０４）。設定された現在の黒バランス値は制御量記憶部１７Ｃに記憶される。
　【００４８】
　オート黒バランス処理が終了すると（図６ステップ１０５でＹＥＳ），測光素子２０から得られる測光情報にもとづいて設定すべき露光の目標値が定められ，定められた目標値となるように絞り１２が制御される。設定された現在の絞り値は制御量記憶部１７Ｃにおいて記憶される（図６ステップ１０６）。
　【００４９】
　つづいて測光素子２０から得られる測光情報にしたがってオート白バランス処理が実行される（図６ステップ１０７）。設定された白バランス値は制御量記憶部１７Ｃに記憶される。
　【００５０】
　オート黒バランス処理またはオート白バランス処理が終了しないときには測光素子２０から得られる情報にしたがい絞り１２が自動調整される（図６ステップ１０９）。
　【００５１】
　ホスト・コンピュータ３０の電源が入れられると表示装置４０に初期画面が表示される（図３ステップ６１）。
　【００５２】
　表示装置４０の画面には，図８に示すようにメニュー表示領域１２６，セットアップ領域１２０，キャプチャ・コマンド入力領域１２２，プレビュー画像表示領域１２１，カメラ制御パラメータ表示領域１２４，パラメータ設定領域１２５および主画像表示領域１２３が必要に応じて表示される。また図８には示されていないが，後述するようにプレビュー画像表示領域１２１にプレビュー画像を表示したときにプレビュー画像の画素レベル・ヒストグラムを表示するためのヒストグラム・ウィンドウが表示装置４０の画面に表示される。初期画面にはメニュー表示領域１２６，セットアップ領域１２０，キャプチャ・コマンド入力領域１２２，プレビュー画像表示領域１２１およびカメラ制御パラメータ表示領域１２４が表示される。
　【００５３】
　メニュー表示領域１２６には「ファイル」，「エディット」，「セットアップ」などのメニューが表示される。「ファイル」は光ディスクに記録されているデータを主メモリ３２に転送する処理，主メモリ３２に記憶されているデータを光ディスクに転送する処理などを行なうときにマウス３７を用いてクリックされる。「エディット」は光ディスクに記録されているデータを読出してそのデータによって表わされる画像を特定の領域に表示するときにマウス３７を用いてクリックされる。「セットアップ」はカメラ制御パラメータを設定するときにクリックされる。
　【００５４】
　「セットアップ」をクリックすることにより始まるカメラ制御データのセットアップ処理（図３ステップ６２）について，図８から図１７を参照して以下に説明する。カメラ制御パラメータのセットアップはホスト・コンピュータ３０と電子カメラ１０とが通信しながら行なわれる。
　【００５５】
　セットアップの項目には大別すると図９に示すように，セレクトとアジャストとがある。セレクトにはインプット，フラッシュ，露出，ポジ／ネガおよびＬＵＴ（ルックアップテーブル）の各項目が含まれる。アジャストには露出，黒バランスおよび白バランスが含まれる。「セットアップ」がクリックされると，これらの項目がセットアップ領域に表示される。
　【００５６】
　「インプット」は入力される画像データの発生源，態様等を選択するときにクリックされる。「インプット」がクリックされると，上記発生源，態様等を表わす項目が表示される。図９には画像データの発生源の一例として「カメラ」（電子カメラ１０を意味する）が示されている。電子カメラ１０から画像データを取込むときにはこの「カメラ」がクリックされる。
　【００５７】
　「フラッシュ」はフラッシュ発光をさせるかどうかを設定するもので，「フラッシュ」がクリックされると「オン」および「オフ」が表示され，マウス３７を用いていずれか一方を選択することができる。
　【００５８】
　露光量の調整に関しては，電子カメラ１０において露出を自動的に調整するオート（ＡＥ）機能，ホスト・コンピュータ３０において操作者が露出を設定するリモート機能および電子カメラ１０において操作者が露出を設定するマニュアル機能の３種類がある。「露出」は上記の３種類の機能のいずれかを選択するときにクリックされる。セレクトの「露出」がクリックされると，「ＡＥ」，「リモート」および「マニュアル」が表示され，操作者はマウス３７を用いてこれらのうちのいずれかの機能を選択することができる。
　【００５９】
　「ポジ／ネガ」はポジティブ撮影（通常の撮影）とするか，ネガティブ撮影（白，黒レベルを反転したもので，ネガフィルムの撮影などに適している）とするかを設定するもので，「ポジ／ネガ」がクリックされると「ポジ」および「ネガ」が表示され，いずれか一方を選択することができる。
　【００６０】
　「ＬＵＴ」は階調特性を設定するものである。調整可能な階調特性には「デフォルト」および「ＬＵＴ１」〜「ＬＵＴ５」がある。「デフォルト」はあらかじめ定められた最も一般的な階調特性であり，「ＬＵＴ１」〜「ＬＵＴ５」はこの撮影システムの利用者が任意に定めることができる階調特性の種類を示す。「ＬＵＴ」がクリックされると，「デフォルト」および「ＬＵＴ１」〜「ＬＵＴ５」が表示され，いずれかが選択される。
　【００６１】
　アジャストの「露出」は「リモート」モードで，すなわちホスト・コンピュータ３０において露光量を設定するときにクリックされる。「露出」がクリックされることにより表示装置４０の表示画面のパラメータ設定領域１２５に露光量設定のために適した内容が表示され，露出の設定がホスト・コンピュータ３０において可能となる。
　【００６２】
　「黒バランス」は黒バランスを調整するものである。「黒バランス」がクリックされることにより表示装置４０の表示画面のパラメータ設定領域１２５に黒バランス調整に適した画面が表示され，黒バランス調整が可能となる。
　【００６３】
　「白バランス」は白バランス調整をするためのものである。「白バランス」がクリックされることにより表示装置４０の表示画面のパラメータ設定領域１２５に白バランス調整に適した画面が表示され，白バランス調整が可能となる。
　【００６４】
　図１０は，上述したセットアップ項目のセレクトのうち，「インプット」について「カメラ」が，「フラッシュ」について「オン」が，「ポジ／ネガ」について「ポジ」が，「ＬＵＴ」について「ＬＵＴ１」がそれぞれ設定された状態の表示例を示しており，これらの設定された項目はカメラ制御パラメータ表示領域１２４に表示される。「セレクト」の５項目はどの順序で設定してもよいが，ここでは最後に「露出」が設定されることになるものとする。
　【００６５】
　露光量の調整のために「ＡＥ」，「リモート」または「マニュアル」のいずれかのモードを設定するために，セットアップ領域１２０に表示されるセレクトの「露出」をクリックすると，図１１に示すようにプレビュー画像表示領域１２１に，「ＡＥ」，「リモート」および「マニュアル」が表示される。マウス３７を用いていずれかのモードが選択される。
　【００６６】
　たとえば，「リモート」がクリックされたとすると（図５ステップ９１），カメラ制御パラメータ表示領域１０４の「露出」に「リモート」と表示され，リモート指令が電子カメラ１０に送信される（図５ステップ９３）。「オート」がクリックされたとするとカメラ制御パラメータ表示領域１０４の「露出」に「オート」と表示され，オート指令が電子カメラ１０に送信される（図５ステップ９１，９２）。
　【００６７】
　上述したように「リモート」はホスト・コンピュータ３０において操作者が露光量を調整するモードであるから，操作者は，図１２に示すように「アジャスト」の「露出」をクリックする。すると，図１３に示すように表示装置４０の表示画面のパラメータ設定領域１２５に，露光量の調整に適した画面が表示される。
　【００６８】
　露光量はこの実施例においては絞り値により調整される。シャッタ速度は固定である。もっともシャッタ速度も設定可能としてもよいのはいうまでもない。
　【００６９】
　リモート指令が電子カメラ１０において受信されると（図７ステップ１１１，１１２），制御量記憶部１７Ｃに記憶されている現在の絞り値についての制御量がホスト・コンピュータ３０に送信される（図７ステップ１１３）。
　【００７０】
　電子カメラ１０から送信された絞り値はホスト・コンピュータ３０において受信される（図５ステップ９４）。
　【００７１】
　図１３に示すパラメータ設定領域１２５において，絞り値のレンジ（開放絞り値：オープンＦおよび全閉絞り値：クローズＦ）および現在の絞り値（現在値Ｆ）が表示される。現在値Ｆは電子カメラ１０における絞りの現在の絞り値であり，電子カメラ１０からホスト・コンピュータ３０に伝送されてきたものが表示される（図５ステップ９５）。
　【００７２】
　操作者は表示された現在の絞り値を見て変更する必要があるならば新しい絞り値を目標値として設定する。これはマウス３７を用いてスクロール・バー１２５Ａの長さを変えることにより行なうことができる（図５ステップ９６）。スクロール・バー１２５Ａの長さによって表わされる絞り値は現在値として数字で表示される。操作者が「ＯＫ」の表示をクリックすると，そのときのスクロール・バー１２５Ａの長さによって表わされる絞り値に設定される。設定された絞り値は，図１４に示すようにカメラ制御パラメータ表示領域１２４に表示される。設定された絞り値についてのセットアップ・データは電子カメラ１０に送信され，カメラ制御パラメータ記憶領域２０Ｂに記憶され，設定された目標値になるように絞りが調整される（図４ステップ８１，８２および図７ステップ１１４，１１５）。オート指令が電子カメラ１０において受信されると絞りについての自動制御が行なわれる（図７ステップ１１６）。
　【００７３】
　パラメータ設定領域１２５には「取消」の表示もあり，これをクリックすることにより設定絞り値をキャンセルすることができる。
　【００７４】
　次に黒バランス調整について説明する。
　【００７５】
　図１５に示すようにセットアップ領域１２０に表示される「黒バランス」がクリックされると，図１６に示すようにパラメータ設定領域１２５に黒バランス調整に適した内容が表示される。
　【００７６】
　「露出」に関しては上述したように「セレクト」の項目で「ＡＥ」，「リモート」および「マニュアル」のいずれかを選択することができたが，黒バランスに関しては「セレクト」の項目に含まれていない。そこで，黒バランス調整についても自動調整が選択できるようにパラメータ設定領域１２５には「オート」の表示が含まれている。操作者が「オート」をクリックすると，その旨がホスト・コンピュータ３０から電子カメラ１０に伝送される（図５ステップ９１，９２）。
　【００７７】
　黒バランス調整は赤と青について行なわれる。パラメータ表示領域１２４に表示される「赤」，「青」をクリックすることにより黒バランスのリモート制御が設定される。リモート制御が設定されるとリモート指令が電子カメラ１０に送信される（図５ステップ９３）。
　【００７８】
　電子カメラ１０においてリモート指令が受信されると（図７ステップ１１１，１１２），制御量記憶部１７Ｃに記憶されている黒バランス設定値が読出されホスト・コンピュータ３０に送信される（図７ステップ１１３）。
　【００７９】
　ホスト・コンピュータ３０では電子カメラ１０から送信された黒バランス設定値が受信され表示される（図５ステップ９４，９５）。設定値はたとえばカメラ表示パラメータ表示領域１２４に表示される。表示された現在の黒バランス設定値を見て変更する必要があるときに黒バランス調整が行なわれる。
　【００８０】
　絞り値の設定と同じように，マウス３７を操作してスクロール・バー１２５Ｒ，１２５Ｂの長さを所望の値となるように調整することにより黒バランス調整が行なわれる。スクロール・バー１２５Ｒ，１２５Ｂの長さによって表わされる赤，青についての設定値はそれぞれ数字で表示される。
　【００８１】
　「ＯＫ」の表示がクリックされると，これらの設定値は電子カメラ１０に送信される（図５ステップ９６，９７）。
　【００８２】
　電子カメラ１０において黒バランス設定値が受信され，この設定された目標値にしたがって黒バランス調整が行なわれる（図４ステップ８１，８２および図７ステップ１１４，１１５）。パラメータ設定領域１２５には「取消」も表示される。
　【００８３】
　電子カメラ１０にオート指令が与えられたときには黒バランスの自動制御が行なわれる（図７ステップ１１６）。
　【００８４】
　黒バランス設定値は図１７に示すようにカメラ制御パラメータ表示領域１０４に表示される。白バランス調整も黒バランス調整と同様にして行なわれる。
　【００８５】
　図１８に示すようにセットアップ領域１２０に表示される「白バランス」がクリックされると，図１９に示すようにパラメータ設定領域１２５に白バランス調整に適した内容が表示される。
　【００８６】
　白バランス調整についても黒バランス調整と同様に自動調整が選択できるようにパラメータ設定領域１２５に「オート」の表示が含まれている。操作者が「オート」をクリックすると，その旨がホスト・コンピュータ３０から電子カメラ１０に伝送される（図５ステップ９１，９２）。
　【００８７】
　白バランス調整も赤と青について行なわれる。白バランス調整においてもパラメータ表示領域１０４に表示される「赤」，「青」をクリックすることによりリモート制御が設定される。リモート制御が設定されるとリモート指令が電子カメラ１０に送信される（図５ステップ９３）。
　【００８８】
　電子カメラ１０においてリモート指令が受信されると（図７ステップ１１１，１１２），制御量記憶部１７Ｃに記憶されている白バランス設定値が読出されホスト・コンピュータ３０に送信される（図７ステップ１１３）。
　【００８９】
　ホスト・コンピュータ３０において電子カメラ１０から送信された白バランス設定値が表示され，表示された白バランス設定値を見て変更する必要があるときには白バランス調整が行なわれる（図５ステップ９４，９５，９６）。
　【００９０】
　マウス３７を操作してスクロール・バー１２５Ｒ，１２５Ｂの長さが所望の長さとなるようにして白バランス調整が行なわれる。スクロール・バー１２５Ｒ，１２５Ｂの長さによって表わされる赤，青についての設定値はそれぞれ数字で表示される。
　【００９１】
　「ＯＫ」の表示がクリックされると，これらの設定値は電子カメラ１０に送信される（図５ステップ９７）。電子カメラ１０において白バランス設定値が受信されると，この設定値にしたがって白バランス調整が行なわれる（図４ステップ８１，８２および図７ステップ１１４，１１５）。
　【００９２】
　このようにしてセットアップ・モードにおいて設定されたすべてのカメラ制御データは図２０に示すようにカメラ制御データ表示領域１２４に表示されるとともに，ホスト・コンピュータ３０の主メモリ３２のカメラ制御パラメータ記憶部３２Ｂおよび電子カメラ１０の主メモリ１７のカメラ制御パラメータ記憶部１７Ｂに記憶される。電子カメラ１０においてはカメラ制御パラメータ記憶部１７Ｂに記憶されたカメラ制御データにもとづいた調整が行なわれる。
　【００９３】
　さらにフォーカシングのためのレンズ位置，ズーム倍率などもカメラ制御パラメータ記憶部３２Ｂに記憶するようにし，リモート制御のときには制御量記憶部１７Ｃから読出してホスト・コンピュータ３０に送信して表示するようにしてもよい。
　【００９４】
　続いてキャプチャ・コマンド入力領域１２２について説明する。
　【００９５】
　図２１に示すようにキャプチャ・コマンド入力領域１２２には，「インプット」，「フレーム」，「ショット」，「ゲット」，「ウィンドウ」，「ファイル」，「Ｘ」，「Ｙ」，「Ｗ」，「Ｈ」，「残容量」，「データ量」および「倍率」が表示され，プレビュー画像表示領域１２１には電子カメラ１０が撮影している被写体像が表示される。
　【００９６】
　「インプット」および「フレーム」はモニタ表示装置５に表示する画像を表わす映像信号をどこから得るかということを選択するためのものである。「インプット」モードでは，ＣＣＤ１３から得られる映像信号が信号処理回路１４を経て，画像メモリ１６を通すことなく，直接にモニタ表示装置５に与えられる。ＣＣＤ１３は通常のＮＴＳＣ駆動（６４０×４８０画素）とハイビジョン駆動（１２８０×９６０画素）とを選択的に切替えることが可能なものである。モニタ表示装置５はＮＴＳＣレートで動作するので，「インプット」モードではＣＣＤ１３はＮＴＳＣ駆動される。これに対して「フレーム」モードは，画像メモリ１６に蓄えられている画像データをＤ／Ａ変換回路２９を経てモニタ表示装置５に与え，その画像データによって表わされる画像を表示させるものである。信号処理回路１４から出力されるスルーの映像信号（「インプット」モード）と，Ｄ／Ａ変換回路２９から出力される映像信号（「フレーム」モード）とを切替えるために，カメラ制御装置１８によって制御される切替回路６が設けられている。
　【００９７】
　図２１においては「フレーム」に黒丸の表示が加えられており，「フレーム」モードが設定されていることを表わす。図４に示すステップ８３〜９０の処理も「フレーム」モードにおける動作を示している。
　【００９８】
　「ショット」は電子カメラ１０に被写体を撮影させ，かつこの撮影により得られた画像データを間引いてホスト・コンピュータに伝送させる指令を与えるものである。「ショット」のクリックに応答して電子カメラ１０で撮影されることにより得られる画像データは一旦画像メモリ１６に蓄えられ，後述するように１／８に縮小されてホスト・コンピュータ３０に伝送され，プレビュー画像表示領域１２１にプレビュー画像として表示される。被写体像の撮影はＣＣＤ１３のハイビジョン駆動により行なわれる。また，「ショット」指令が与えられると自動的に「フレーム」モードになり，モニタ表示装置５には画像メモリ１６に蓄えられた画像データによって表わされる画像が表示される。
　【００９９】
　「ショット」がクリックされることにより表示装置４０の画面にプレビュー画像の画素レベル・ヒストグラムを表示するヒストグラム・ウィンドウ１２７が表示される。ヒストグラム・ウィンドウ１２７にプレビュー画像の色レベル分布が表示されるので，最適な撮影条件の設定に利用できる。
　【０１００】
　「ゲット」は電子カメラ１０において撮影により得られた画像データを最終的にホスト・コンピュータ３０に取込むことを指令するものであり，「フレーム」モードにおいて意義がある。一般的には，後述するように，「ショット」のクリックによりプレビュー画像表示領域１２１に表示させ，領域や倍率（解像度）を指定したのちに「ゲット」がクリックされる。
　【０１０１】
　「ウィンドウ」および「ファイル」は「ゲット」指令によって取込むべき画像データの行先を指定するものである。「ウィンドウ」がクリックされると，電子カメラ１０から伝送された画像データは主メモリ３２の転送バッファ３２Ａに格納されるとともに，表示装置４０の主画像表示領域１２３にその画像データによって表わされる像が表示される。「ファイル」がクリックされると，電子カメラ１０から伝送された画像データは主メモリ３２の転送バッファ３２Ａに格納されたのち，必要に応じて加工されながら，光ディスク装置３８によって光ディスクに格納される。
　【０１０２】
　「Ｘ」，「Ｙ」，「Ｗ」および「Ｈ」はプレビュー画像上において，「ゲット」指令によって取込むべき画像領域を指定するためのものである。図２２に示すように「Ｘ」および「Ｙ」は指定領域の一角の点のＸ，Ｙ座標を表わし，「Ｗ」は指定領域の幅を，「Ｈ」は指定領域の高さをそれぞれ表わしている。マウス３７の操作によってこれら「Ｘ」，「Ｙ」，「Ｗ」および「Ｈ」の値を入力することにより所望の領域を指定することができる。
　【０１０３】
　倍率は「ゲット」指令によって取込むべき画像の解像度を選択するためのもので，この実施例では１倍，０．５倍，０．２５倍および０．１２５倍のうちのいずれかをマウス３７により選択することができる。ズーム・レンズ機構１１における拡大率をホスト・コンピュータ３０において設定可能であれば撮影倍率を１倍を超える値にすることも可能となる。この実施例では，電子カメラ１０のズーム・レンズ機構１１を操作者が手動で操作して拡大したときのみ，倍率として１を超える値が設定される。
　【０１０４】
　「残容量」はホスト・コンピュータ３０の主メモリ３２の転送バッファ３２Ａの残容量を示すものである。
　【０１０５】
　「データ量」は「ゲット」指令に応答して電子カメラ１０から送信される画像データの量を示すものである。
　【０１０６】
　再び図３および図４を参照して，ホスト・コンピュータ３０のキャプチャ・コマンド入力領域１２２からの各種指令の入力に応答して，電子カメラ１０で被写体を撮像し，撮像により得られた画像データをホスト・コンピュータ３０に伝送して，表示装置４０に表示する処理について統一的に説明する。
　【０１０７】
　上述したセットアップ処理（図３ステップ６２）が終了すると，ホスト・コンピュータ３０は，「ショット」のクリック待ち（図３ステップ６３）または領域指定，倍率および撮影した画像データの取込み先の指定待ち（図３ステップ６８）になる。
　【０１０８】
　「ショット」がクリックされると（図３ステップ６３），ＣＰＵ３１によってショット・コマンドが作成される（図３ステップ６４）。作成されたショット・コマンドは電子カメラ１０に送信される。
　【０１０９】
　続いて，プレビュー・コマンドが作成される（図３ステップ６５）。このプレビュー・コマンドは，撮像により得られた画像データを縮小（この実施例では一律に１／８）した上で送信せよという指令であり，電子カメラ１０に送られる。
　【０１１０】
　電子カメラ１０においてショット・コマンドが受信されると（図４ステップ８３），既に設定されているカメラ制御パラメータの条件下で被写体ＯＢの撮影および必要な画像データ処理が行なわれる。
　【０１１１】
　撮像，処理により得られる画像データは画像メモリ１６に記憶される（図４ステップ８４）。
　【０１１２】
　続いて，電子カメラ１０においてプレビュー・コマンドが受信されると（図４ステップ８５），インプット・モードであればフレーム・モードとなり，画像メモリ１６に記憶されている画像データが読出され間引回路１９に与えられる。間引回路１９において，水平方向に１６０画素，垂直方向に１２０画素の画像データとなるように画像データが１／８に均一に間引かれる。間引かれた画像データは間引回路１９から転送バッファ１７Ａに与えられ一時記憶される（図４ステップ８６）。転送バッファ１７Ａに一時記憶された画像データが，ホスト・コンピュータ３０に送信される。
　【０１１３】
　ホスト・コンピュータ３０において電子カメラ１０から送信された１／８に縮小された画像データが受信されると，このプレビュー画像データは転送バッファ３２Ａに一時記憶される（図３ステップ６６）。転送バッファ３２Ａに記憶されている画像データは転送バッファ３２Ａから読出され表示メモリ３４に与えられ，この画像データによって表わされるプレビュー画像がプレビュー画像表示領域１２１に表示される（図３ステップ６７）。プレビュー画像表示領域１２１に表示されたプレビュー画像の一例が図２１に示されている。
　【０１１４】
　操作者はこのプレビュー画像を見て，所望のアングル，大きさ，画質等の像が得られているかどうかを確認することができる。もし必要ならばカメラ制御パラメータの再設定（図３ステップ６２）を行なってもよい。
　【０１１５】
　所望の画像データが得られたかどうかをホスト・コンピュータ３０において見るためには電子カメラ１０からホスト・コンピュータ３０に撮像画像データを伝送する必要がある。一駒分の画像データは上述のように１２８０×９６０画素（１画素当り１バイトとすると１２２８Ｋバイト，カラーの場合にはこの３倍）とデータ量がきわめて多いので，データ伝送に長い時間がかかる。上述のようにプレビュー画像データについては１／８に縮小して電子カメラ１０からホスト・コンピュータ３０に伝送しているので伝送時間を短くすることができる。
　【０１１６】
　操作者がプレビュー画像を見て良好な画像が得られていることを確認すると，撮像した画像データを最終的に取込む必要がある。一駒全体（１２８０×９６０）の画像データを取込んでもよいが，一般には一部分のみが必要な場合が多い。そこで操作者はプレビュー画像上で図２２に示すように，取込むべき画像の領域，倍率および取込み先を指定する（図３ステップ６８でＹＥＳ）。続いて操作者は「ゲット」をクリックする（図３ステップ６９でＹＥＳ）。すると，指定された領域，倍率を含むゲット・コマンドが作成され，電子カメラ１０に送信される（図３ステップ７０）。
　【０１１７】
　上述したように，拡大画像が欲しい場合には操作者は電子カメラ１０のズーム・レンズ機構１１を手動操作して所望の倍率に設定することができる。この場合には操作者は再び「ショット」をクリックして，被写体の撮影，プレビューを繰返す。
　【０１１８】
　電子カメラ１０においてゲット・コマンドが受信されると（図４ステップ８８），指定された領域の画像データが画像メモリ１６から読出される。
　【０１１９】
　倍率が１より小さいときには画像メモリ１６から読出された画像データは間引回路１９に与えられ，設定された倍率に応じた間引きが行なわれる。画像データは転送バッファ１７Ａに一時記憶されたのち（図４ステップ８９），ホスト・コンピュータ３０に送信される（図４ステップ９０）。
　【０１２０】
　このように真に必要な領域についての画像データのみが電子カメラ１０から送信されるので，画像データの伝送時間を短縮することができる。
　【０１２１】
　電子カメラ１０から送信された画像データはホスト・コンピュータ３０において受信される（図３ステップ７１）。画像データが受信されると，この画像データは先に指定されている取込み先に転送される。すなわち，取込み先が「ウィンドウ」（主メモリ）の場合には，受信した画像データは主メモリ３２の転送バッファ３２Ａに記憶されるとともに，その画像データによって表わされる画像が図２３に示すように表示装置４０の主画像表示領域１２３に表示される（図３ステップ７３）。取込み先が「ファイル」の場合には，受信した画像データは一旦主メモリ３２に記憶されたのち，必要に応じ加工され，光ディスク装置３８に転送されて，光ディスクに記録される（図３ステップ７５）。このときには主画像表示領域１２３には画像は表示されない（図２４参照）が，表示するようにしてもよい。
　【０１２２】
　操作者は取込み先を「ウィンドウ」にしておいて主画像表示領域１２３に表示された被写体像を見たのちに，「ファイル」をクリックしてもよい。それに応答して主メモリ３２に記憶されている画像データは光ディスクに記録される（図３ステップ７４でＹＥＳ，ステップ７５）。「ファイル」をクリックすることなく，再度「ショット」指令からやり直すようにしてももちろんよい。
　【０１２３】
　キャプチャ・コマンド入力領域１２２には主メモリ３２の残容量および伝送されてきた画像データのデータ量が表示されているので，これらの量を見ながら操作者は上述したような各種の指令を入力することができる。主メモリ３２の残容量が電子カメラ１０から伝送されてくる画像データのデータ量よりも少ないときには「ゲット」指令の入力を禁止するようにすることが好ましい。
　【０１２４】
　図２５は他の実施例を示すもので，撮像システムの電気的構成を示すブロック図である。この図において図２に示すものと同一物には同一符号を付して説明を省略する。
　【０１２５】
　図２５に示す撮像システムは図２に示す撮像システムと比較すると電子カメラ１０Ａに表示装置４０，キーボード３６，マウス３７が接続されている点で異なっている。電子カメラ１０Ａは通信インターフェイス２４を介して磁気ディスク３９Ａおよび光ディスク３９Ｂに画像データの記録が可能なホスト・コンピュータ３０Ａと通信可能である。
　【０１２６】
　このような電子カメラ１０Ａにおいては，表示装置４０，キーボード３６またはマウス３７を用いて設定されたカメラ制御パラメータはカメラ制御パラメータ記憶部１７Ｂに直接に記憶される。現在設定されている制御量は制御量記憶部１７Ｃから読出され表示装置４０に表示されている。必要ならば制御量の変更が行なわれる。
　【０１２７】
　撮像により得られた画像データはホスト・コンピュータ３０Ａに送られることなく表示装置４０に与えられ，プレビュー画像および主画像の表示が行なわれる。そして，必要な領域で所望の倍率の画像データのみがホスト・コンピュータ３０Ａに伝送され，磁気ディスク３９Ａもしくは光ディスク３９Ｂに記録または主メモリ１７の転送バッファ１７Ａに記憶することができるようになる。
【図面の簡単な説明】
　【図１】
　撮像システムの全体構成を示している。
　【図２】
　撮像システムの電気的構成を示すブロック図である。
　【図３】
　ホスト・コンピュータにおける処理手順を示すフローチャートである。
　【図４】
　電子カメラにおける処理手順を示すフローチャートである。
　【図５】
　セットアップ処理の一部の手順を表わすフローチャートである。
　【図６】
　電子カメラの初期処理を表わすフローチャートである。
　【図７】
　電子カメラのパラメータ調整の処理手順を示すフローチャートである。
　【図８】
　表示装置に表示される複数の表示領域を示している。
　【図９】
　表示装置の一部の領域に表示される内容を示している。
　【図１０】
　表示装置における表示例を示している。
　【図１１】
　表示装置における表示例を示している。
　【図１２】
　表示装置における表示例を示している。
　【図１３】
　表示装置における表示例を示している。
　【図１４】
　表示装置における表示例を示している。
　【図１５】
　表示装置における表示例を示している。
　【図１６】
　表示装置における表示例を示している。
　【図１７】
　表示装置における表示例を示している。
　【図１８】
　表示装置における表示例を示している。
　【図１９】
　表示装置における表示例を示している。
　【図２０】
　表示装置における表示例を示している。
　【図２１】
　表示装置における表示例を示している。
　【図２２】
　表示装置における表示例を示している。
　【図２３】
　表示装置における表示例を示している。
　【図２４】
　表示装置における表示例を示している。
　【図２５】
　他の実施例を示すもので，撮像システムの電気的構成を示すブロック図である。
　【符号の説明】
　９，２９，３３　通信インターフェイス
　１０，１０Ａ　電子カメラ
　１１　ズーム・レンズ機構
　１２　絞り
　１３　ＣＣＤ
　１４　信号処理回路
　１５　Ａ／Ｄ変換回路
　１６　画像メモリ
　１７，３２　主メモリ
　１８　カメラ制御装置
　３０，３０Ａ　ホスト・コンピュータ
　３１　ＣＰＵ
　３６　キーボード
　３７　マウス
　４０　表示装置